【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
バインダー、及び反応するように組み合わされた、非感光性の被還元性銀イオン源と、前記非感光性の被還元性銀イオン源のための還元剤組成物とを含む1つ又は2つ以上の熱現像可能な画像形成層を支持体の一方の側に有し、そして
前記支持体の裏面に配置された、1種又は2種以上のバインダー・ポリマー中に非針状金属アンチモン酸塩粒子を含む非画像形成裏面導電性層を有する、
支持体を含んで成る熱現像可能材料であって、
前記非針状金属アンチモン酸塩粒子は、前記裏面導電性層の55超〜最大85乾燥重量%を構成し、被覆量0.06〜0.5 g/m2で存在し、そして前記裏面導電性層中の総バインダー・ポリマーの前記非針状金属アンチモン酸塩粒子に対する比は、乾燥重量を基準として0.75未満:1である。
【請求項２】
複数の裏面層を含み、そして前記非画像形成導電性層が、埋込み型キャリヤ層である請求項1に記載の材料。
【請求項３】
前記支持体の裏面に、
a)  皮膜形成ポリマーを含む第1の層と、
b)  前記支持体と前記第1の層との間に挟まれ、前記支持体に前記第1の層を直接的に付着させる前記非画像形成裏面導電性層であって、前記支持体に対する前記裏面導電性層の直接的な付着を促進するのに役立つ第1ポリマーと、前記第1ポリマーとは異なっており且つ前記第1ポリマーと単一相混合物を形成する第2ポリマーとを含む2種又は3種以上のポリマーの混合物中に前記非針状金属アンチモン酸塩粒子を含む前記非画像形成裏面導電性層と、
を含み、
前記第1の層の前記皮膜形成ポリマーと、前記裏面導電性層の前記第2ポリマーとが、同じか又は異なる、ポリビニルアセタール樹脂、ポリエステル樹脂、セルロースポリマー、無水マレイン酸-エステルコポリマー、又はビニルポリマーである請求項1又は2に記載の材料。
【請求項４】
前記裏面導電性層が、ポリエステル樹脂と、ポリビニルブチラール又は酢酸酪酸セルロースとの単一相混合物を含む請求項3に記載の材料。
【請求項５】
前記裏面導電性層の乾燥厚が、0.05〜0.55 μmであり、そして、総バインダー・ポリマーの前記非針状金属アンチモン酸塩粒子に対する比が、乾燥重量を基準として0.75:1〜0.3:1である請求項1〜4のいずれか一項に記載の材料。
【請求項６】
前記非針状金属アンチモン酸塩粒子が、前記裏面導電性層の60〜76乾燥重量%を構成する請求項1〜5のいずれか一項に記載の材料。
【請求項７】
前記非針状金属アンチモン酸塩粒子が、被覆量0.06〜0.5 g/m2で存在し、前記裏面導電性層の乾燥厚が、0.09〜0.3 μmである請求項1〜6のいずれか一項に記載の材料。
【請求項８】
バインダー、及び反応するように組み合わされた、感光性ハロゲン化銀と、非感光性の被還元性銀イオン源と、前記非感光性の被還元性銀イオン源のための還元剤組成物とを含む1つ又は2つ以上の熱現像可能な画像形成層を支持体の一方の側に有し、そして
前記支持体の裏面に配置された：
a)  皮膜形成ポリマーを含む第1の層と、
b)  前記支持体と前記第1の層との間に挟まれた、前記支持体に前記第1の層を直接的に付着させる非画像形成裏面層であって、前記支持体に対する前記裏面導電性層の直接的な付着を促進するのに役立つ第1ポリマーと、前記第1ポリマーとは異なっており且つ前記第1ポリマーと単一相混合物を形成する第2ポリマーとを含む2種又は3種以上のポリマーの混合物中に前記非針状金属アンチモン酸塩粒子を含む非画像形成裏面導電性層と
を有する
フォトサーモグラフィ材料であって、
前記非針状金属アンチモン酸塩粒子は、前記裏面導電性層の60超〜最大76乾燥重量%を構成し、被覆量0.06〜0.20 g/m2で存在し、そして前記裏面層中の総バインダー・ポリマーの前記非針状金属アンチモン酸塩粒子に対する比は、乾燥重量を基準として0.75未満:1であり、そして
前記第1の層の前記皮膜形成ポリマー及び前記裏面導電性層の前記第2ポリマーは、同じか又は異なるポリビニルアセタール樹脂、ポリエステル樹脂、セルロースポリマー、無水マレイン酸-エステルコポリマー、又はビニルポリマーである。
【請求項９】
主として、1種又は2種以上の疎水性バインダー、及び反応するように組み合わされた、平板状及び/又は立方体状粒子として存在する予め形成された感光性臭化銀又はヨード臭化銀と、ベヘン酸銀を含む非感光性の被還元性銀イオン源と、ヒンダード・フェノールを含む、前記非感光性の被還元性銀イオン源のための還元剤組成物とを含む1つ又は2つ以上の熱現像可能な画像形成層、ならびに前記1つ又は2つ以上の熱現像可能な画像形成層上に配置された保護層を支持体の一方の側に有し、そして
前記支持体の裏面に配置された：
a)  酢酸酪酸セルロースである皮膜形成ポリマー及びハレーション防止組成物を含む裏面保護層と、
b)  前記支持体と前記裏面保護層との間に挟まれた、前記支持体に前記裏面保護層を直接的に付着させる、前記支持体に対する前記導電性層の直接的な付着を促進するのに役立つ第1ポリマーと、前記第1ポリマーとは異なっており且つ前記第1ポリマーと単一相混合物を形成する第2ポリマーとを含む2種又は3種以上のポリマーの混合物中に非針状金属アンチモン酸塩粒子を含む非画像形成裏面導電性層と
を有する透明高分子支持体を含んで成る黒白フォトサーモグラフィ材料であって、
前記裏面導電性層の前記第1ポリマーはポリエステルであり、そして前記裏面導電性層の前記第2ポリマーは酢酸酪酸セルロースであり、そして
前記非針状金属アンチモン酸塩粒子は、アンチモン酸亜鉛(ZnSb2O6)から成っており、そして前記裏面導電性層の70〜76乾燥重量%を構成し、被覆量0.06〜0.2 g/m2で存在し、そして前記裏面導電性層の乾燥厚は、0.09〜0.15 μmである。
【請求項１０】
主として、1種又は2種以上の疎水性バインダー、及び反応するように組み合わされた、ベヘン酸銀を含む非感光性の被還元性銀イオン源と、同じ芳香核上にオルト又はパラの関係で2つ以上のヒドロキシ基を有する芳香族ジ-及びトリ-ヒドロキシ化合物又はその混合物を含む前記非感光性の被還元性銀イオン源のための還元剤組成物とを含む1つ又は2つ以上の熱現像可能な画像形成層、ならびに前記1つ又は2つ以上の熱現像可能な画像形成層上に配置された保護層を支持体の一方の側に有し、そして
前記支持体の裏面に配置された：
a)  皮膜形成ポリマーを含む裏面保護層と、
b)  前記支持体と前記裏面保護層との間に挟まれた、前記支持体に前記裏面保護層を直接的に付着させる、前記支持体に対する前記裏面導電性層の直接的な付着を促進するのに役立つ第1ポリマーと、前記第1ポリマーとは異なっており且つ前記第1ポリマーと単一相混合物を形成する第2ポリマーとを含む2種又は3種以上のポリマーの混合物中に非針状金属アンチモン酸塩粒子を含む非画像形成裏面導電性層と
を有する透明高分子支持体を含んで成る黒白サーモグラフィ材料であって、
前記非針状金属アンチモン酸塩粒子は、前記裏面導電性層の70超〜最大76乾燥重量%を構成し、被覆量0.06〜0.2 g/m2で存在し、そして前記裏面層中の総バインダー・ポリマーの前記非針状金属アンチモン酸塩粒子に対する比は、乾燥重量を基準として0.75未満:1であり、
前記第1の層の前記皮膜形成ポリマー及び前記裏面導電性層の前記第2ポリマーは、同じか又は異なるポリビニルアセタール樹脂、ポリエステル樹脂、セルロースポリマー、無水マレイン酸-エステルコポリマー、又はビニルポリマーである。
【請求項１１】
(A)  フォトサーモグラフィ材料である請求項1〜10のいずれか一項に記載の材料に、電磁線に対して像様露光することにより、潜像を形成し、
(B)  同時に又は続いて、前記露光されたフォトサーモグラフィ材料を加熱することにより、前記潜像を現像して可視像にする
ことを含んで成る可視像形成方法。